(57)【特許請求の範囲】
【請求項１】
２以上の地上階数からなるコンテナ建築物であって、
基礎部と、
側壁の少なくとも一面を除去したコンテナからなるコンテナ構造部であって、前記基礎部上に配置した、複数のコンテナ構造部と、
前記複数のコンテナ構造部の間に構築した中央構造部であって、平面材及び側面材を有する、中央構造部と、を備え、
前記平面材が、前記複数のコンテナ構造部の間に掛け渡した木製の複数の横架材と、前記複数の横架材上に配置した構造面材を含んで構成され、
１階において、前記基礎部、前記複数のコンテナ構造部、天井の前記平面材、及び前記側面材によって、屋内空間を画設し、
２階以上の階において、床面の前記平面材、前記複数のコンテナ構造部、天井の前記平面材、及び前記側面材によって、屋内空間を画設したことを特徴とする、
コンテナ建築物。
【請求項２】
前記コンテナ構造部が、水平方向のフレーム材に沿って固定した長尺状の支持部材を有し、前記支持部材は、垂直部と、前記垂直部と連続する水平部と、を有する断面略Ｌ字状又は断面略倒Ｔ字状を呈し、前記複数の横架材を、複数の前記コンテナ構造部の前記水平部の間に掛け渡して並列配置したことを特徴とする、請求項１に記載のコンテナ建築物。
【請求項３】
前記横架材が、端部を長手方向に切り欠いた接合スリットを有し、前記支持部材が、前記支持部材の延在方向と直交する方向に立設する複数の接合板を有し、前記接合スリット内に前記接合板を差し入れた状態で、前記横架材の端部と前記接合板を、ドリフトピンで連通することによって、前記横架材を前記支持部材と連結したことを特徴とする、請求項２に記載のコンテナ建築物。
【請求項４】
前記支持部材を、前記垂直部を貫通したワンサイドボルトによって、前記水平方向のフレーム材に固定したことを特徴とする、請求項２又は３に記載のコンテナ建築物。
【請求項５】
前記複数のコンテナ構造部の内少なくとも１つを、平面視において他のコンテナ構造部に対して一定角度回転した向きに配置したことを特徴とする、請求項１乃至４のいずれか一項に記載のコンテナ建築物。
【発明の詳細な説明】
【技術分野】
【０００１】
本発明はコンテナ建築物に関し、特に、鋼構造と木構造の混構造により、コンテナ建築によるコスト、施工性、及び工期のメリットを享受しつつ、同時に設計の自由度も確保できる、コンテナ建築物に関する。
【背景技術】
【０００２】
コンテナ建築物は、建築用コンテナを利用した建築物であり、事前に工場で外壁や屋根などを加工したコンテナを現地に運搬し、敷地上に配置して連結するだけで建築できるという施工性の高さや、短工期、低コスト、意匠性等の多くのメリットを備えるため、店舗、倉庫、住居等の様々な用途に利用されている。
特許文献１には、輸送用コンテナからなる建物モジュールを、締結要素を介して相互に連結して、内部に居住空間を構成した、コンテナ建築物が開示されている。
【先行技術文献】
【特許文献】
【０００３】
【特許文献１】特表２００７―５０８４８２号公報
【発明の概要】
【発明が解決しようとする課題】
【０００４】
従来のコンテナ建築物には以下のような問題点がある。
＜１＞直方体を直接連結してなるため、全体が平面視矩形の組み合わせ構造となる。このため、設計の自由度が低く、不整形地や隅切りのある土地等において敷地を有効に活用できない。
＜２＞規格化されたコンテナの組み合わせからなるため、バリエーションに限りがあり、他のコンテナ建築物との差別化を図りにくい。
＜３＞コンテナ同士を直接連結することにより、各コンテナの製品誤差が蓄積し、構造全体に歪みが生じやすい。これによって、基礎との連結部やコンテナ同士の連結部にずれが生じて施工に支障が生じたり、連結部に過剰な応力がかかって破損するおそれがある。
＜４＞全体が鋼構造からなるため、連結部のずれや歪みを現場で調整するのが難しい。
＜５＞基礎と室内との境界に、コンテナの梁の高さの段差が生じるため、ガレージハウスとして使用する場合や、車椅子を利用する場合に障害となる。
【０００５】
本発明の目的は、以上の課題を解決可能なコンテナ建築物を提供することにある。
【課題を解決するための手段】
【０００６】
本発明のコンテナ建築物は、基礎部と、側壁の少なくとも一面を除去したコンテナからなるコンテナ構造部であって、基礎部上に配置した、複数のコンテナ構造部と、複数のコンテナ構造部の間に構築した中央構造部であって、平面材及び側面材を有する、中央構造部と、を備え、平面材が、複数のコンテナ構造部の間に掛け渡した木製の複数の横架材と、複数の横架材上に配置した構造面材を含んで構成され、複数のコンテナ構造部、平面材、及び側面材によって、屋内空間を画設したことを特徴とする。
【０００７】
本発明のコンテナ建築物は、コンテナ構造部が、水平方向のフレーム材に沿って固定した長尺状の支持部材を有し、支持部材は、垂直部と、垂直部と連続する水平部と、を有する断面略Ｌ字状又は断面略倒Ｔ字状を呈し、複数の横架材を、複数のコンテナ構造部の水平部の間に掛け渡して並列配置してもよい。
【０００８】
本発明のコンテナ建築物は、横架材が、端部を長手方向に切り欠いた接合スリットを有し、支持部材が、支持部材の延在方向と直交する方向に立設する複数の接合板を有し、接合スリット内に接合板を差し入れた状態で、横架材の端部と接合板を、ドリフトピンで連通することによって、横架材を支持部材と連結してもよい。
【０００９】
本発明のコンテナ建築物は、支持部材を、垂直部を貫通したワンサイドボルトによって、水平方向のフレーム材に固定してもよい。
【００１０】
本発明のコンテナ建築物は、複数のコンテナ構造部の内少なくとも１つを、平面視において他のコンテナ構造部に対して一定角度回転した向きに配置してもよい。
【００１１】
本発明のコンテナ建築物は、２以上の地上階数からなってもよい。
【発明の効果】
【００１２】
以上の構成より、本発明のコンテナ建築物は次の効果の少なくともひとつを備える。
＜１＞中央構造部を中心に、コンテナを任意の位置と角度で配置することで、コンテナの規格に依存しない柔軟で自由な設計が可能となる。このため、不整形地や隅切りのある土地であっても、土地の形状に合わせて設計することで、敷地を有効に活用して建築面積を増やすことができる。
＜２＞中央構造部が木造構造からなるため、木材を切削・加工等することで、製品誤差や施工誤差を、現場で容易に調整することができる。
＜３＞コンテナの製品誤差を、木造の中央構造部で吸収することで、構造全体の歪みを防ぐことができる。
＜４＞コンテナの堅牢さや耐震性、耐火性と、木造の持つ通気性や柔軟性を兼備することができる。
＜５＞中央構造部の床面と基礎との間に段差が生じないため、車両や車椅子をスロープなしで円滑に出し入れすることができる。
【図面の簡単な説明】
【００１３】
【図１】本発明のコンテナ建築物の説明図。
【図２】本発明のコンテナ建築物の説明図。
【図３】本発明のコンテナ建築物の説明図。
【図４】平面材の説明図。
【図５】支持部材と横架材の接合構造の説明図。
【図６Ａ】本発明のコンテナ建築物の建築方法の説明図。
【図６Ｂ】本発明のコンテナ建築物の建築方法の説明図。
【図６Ｃ】本発明のコンテナ建築物の建築方法の説明図。
【発明を実施するための形態】
【００１４】
以下、図面を参照しながら本発明のコンテナ建築物について詳細に説明する。
なお、本明細書等において、各構成要素の「上」「下」「上方」「下方」「上部」「下部」等の用語は、コンテナ建築物の完成時における上下方向を意味する。
【実施例１】
【００１５】
[コンテナ建築物]
＜１＞全体の構成（図１）。
本発明のコンテナ建築物１は、コンテナを利用した建築物である。
コンテナ建築物１は、基礎部１０と、基礎部１０上に配置した複数のコンテナ構造部２０と、コンテナ構造部２０の間に構築した中央構造部３０と、を少なくとも備える。
本発明のコンテナ建築物１は、鋼構造のコンテナ構造部２０と、木構造の中央構造部３０との、混構造（複合構造）からなる点に一つの特徴を有する。
【００１６】
＜１．１＞コンテナ建築物の配置。
本例では、１階の中央構造部３０を車庫として構築した、ガレージハウスを例に説明する（図２）。
便宜的に敷地奥を北側と定義して、矩形の敷地の南東側の一角が隅切りされている敷地上に、地上２階建てのコンテナ建築物１を建築する。ここで、コンテナ建築物１の各構成要素の配置は平面視による（図３）。
基礎部１０は、本例では敷地に対応した五角形状を呈するが、実際の基礎部１０の形状は問わない。
基礎部１０上の西側に南北方向を長手方向として２０ｆｔコンテナからなるコンテナ構造部２０ａを配置する。
基礎部１０上の北東側に、コンテナ構造部２０ａから離間して、コンテナ構造部２０ａと平行に、１０ｆｔコンテナからなるコンテナ構造部２０ｂを配置する。
基礎部１０上の南東側に、コンテナ構造部２０ａ及び２０ｂから離間し、敷地の隅切り部に平行する向きに１０ｆｔコンテナからなるコンテナ構造部２０ｃを配置する。すなわち本例では、コンテナ構造部２０ｃを、他のコンテナ構造部２０ａ及び２０ｂに対して一定角度回転した向きに配置する。
各コンテナ構造部２０は、同寸法のコンテナを上下に積層し、相互に連結する。この内、南東側のコンテナ構造部２０ｃの内部には階段を設ける。
１階部分の中央構造部３０の内、北東側のコンテナ構造部２０ｂの南側の壁と南東側のコンテナ構造部２０ｃの北側の角の間を塞ぐ側面材３２を入口ドアとし、南側の側面材３２をガレージのシャッターとする。ドア上部の平面材３１は、玄関の天井と、２階部分のバルコニーの床とを兼ねる。
本例のように、基礎部１０の形状を敷地と対応させ、コンテナ構造部２０の向きを基礎部１０の隅切りに合わせて回転させることで、コンテナ構造部２０を敷地の隅切り部に近づけて配置することができる。これによって、敷地を有効利用し、建築面積を増やすことができる。
また、本例では、中央構造部３０の床面と基礎部１０との間に段差がないため、ガレージから車両を円滑に出し入れすることができる。
なお、本例の各コンテナ構造部２０の寸法、配置、及び向きは一例にすぎず、他の寸法、配置、及び向きを適宜組み合わせることができる。また、２階建てに限らず、平屋又は３階建て以上の構造としてもよい。
【００１７】
＜２＞基礎部。
基礎部１０は、コンテナ建築物１の基礎である。
本例では基礎部１０として、コンクリート基礎１１と、下部をコンクリート基礎１１内に埋設したアンカーボルト１２と、を少なくとも備えたベタ基礎を採用する。
コンクリート基礎１１内には、適宜の設計で主筋及び配力筋による配筋を行う。
【００１８】
＜３＞コンテナ構造部。
コンテナ構造部２０は、コンテナからなる、コンテナ建築物１の鋼構造の部分である。
コンテナ構造部２０は、鋼製の支柱と梁材を組んでなるフレーム材２１と、フレーム材２１の間に配置した鋼製のパネル材２２と、フレーム材２１の梁材に沿って固定した長尺状の支持部材２３と、を少なくとも備える。
コンテナ構造部２０は、側面のパネル材２２の少なくとも一面を除去して、中央構造部３０の内部と連通可能に構成する。なお「一面を除去」とは、パネル材２２を除去した開口部に、屋内空間の隔壁としての壁やドア等を設置した構成を除外するものではない。
本例ではコンテナ構造部２０として、ＪＩＳ鋼材を組んでなる建築用コンテナを採用する。
各コンテナ構造部２０は、開口部側を、基礎部１０上の中央に向けて配置する。
【００１９】
＜３．１＞支持部材（図４）。
支持部材２３は、中央構造部３０の平面材３１を支持するための部材である。
本例では支持部材２３として、垂直部２３ａと、垂直部２３ａの下端から水平方向に延出する水平部２３ｂと、を有する断面略Ｌ字状の鋼材（アングル材）を採用する。但し、支持部材２３の構造はこれに限らず、例えば垂直部２３ａの中間から水平方向に延出する水平部２３ｂを備える、断面略倒Ｔ字状の鋼材を採用してもよい。
本例では、支持部材２３を、上段の３つのコンテナ構造部２０における、各フレーム材２１の上下の梁に、各１本ずつ付設する。詳細には、各支持部材２３を、コンテナ構造部２０の開口部側のフレーム材２１の上下の梁に沿って配置し、垂直部２３ａを貫通したワンサイドボルトによってフレーム材２１に固定する。
ワンサイドボルトを用いることによって、ボルト留めのためにフレーム材２１に設ける開口が最小限で済むため、フレーム材２１の断面欠損による強度低下を防ぐことが可能となる。
本例では、支持部材２３が、複数の接合板２３ｃを有する。
【００２０】
＜３．１．１＞接合板（図５）。
接合板２３ｃは、後述する横架材３１ａを支持部材２３と連結するための部材である。
接合板２３ｃは、支持部材２３の長手方向と直交する方向に向けて立設した鋼板からなる。詳細には、支持部材２３の垂直部２３ａと水平部２３ｂの間に鋼板を溶接してなる。
各接合板２３ｃは、両面を連通するボルト孔を備える。
各接合板２３ｃは、横架材３１ａの配置に対応して等間隔に配置する。
【００２１】
＜４＞中央構造部。
中央構造部３０は、複数のコンテナ構造部２０の間に構築する木構造の部分である。
中央構造部３０は、複数のコンテナ構造部２０の間に少なくとも１つの平面材３１と、複数の側面材３２と、を掛け渡して構成する。
中央構造部３０の内部には、コンテナ構造部２０と、平面材３１と、側面材３２とで区画した屋内空間を画設する。屋内空間は、コンテナ構造部２０の内部と連通してもよい。
本発明のコンテナ建築物１は、基礎部１０上に任意の間隔と角度で配置したコンテナ構造部２０の間に、木造の中央構造部３０を現場で構築することにより、コンテナの規格（形状・寸法）に依存しない柔軟な設計が可能となる。
【００２２】
＜４．１＞平面材（図４）。
平面材３１は、中央構造部３０の床及び天井を構成する部材である。
本例では、中央構造部３０が、上下２枚の平面材３１を有し、下方の平面材３１が１階の天井と２階の床を兼ね、上方の平面材３１が２階の天井を構成する。
平面材３１は、向かい合うコンテナ構造部２０の支持部材２３間に掛け渡した複数の木製の横架材３１ａと、横架材３１ａ上に配置した構造面材３１ｂと、を備える。
本例では横架材３１ａとして、建築用の杉梁集成材を採用する。ただしこれに限らず、他の材料、例えばヒノキや松を採用してもよい。又は集成材でなく無垢材を採用してもよい。要は、上部からの荷重に抵抗可能なヤング係数とせん断強度を発揮できる材料であればよい。
本例では構造面材３１ｂとして、構造用合板を採用する。
【００２３】
＜４．２＞支持部材と横架材の接合構造（図５）。
本例では横架材３１ａの両端部に、長手方向に向かって垂直に切り込んだ接合スリット３１ｃと、側面を水平方向に連通したボルト孔と、を備える。
横架材３１ａを支持部材２３の水平部２３ｂ上に配置する際、横架材３１ａの接合スリット３１ｃ内に、接合板２３ｃを差し入れ、横架材３１ａのボルト孔と接合板２３ｃのボルト孔にドリフトピン３３を連通することで両者を接合する。
【００２４】
＜５＞コンテナ建築物の建築方法。
基礎部１０上に、コンテナ構造部２０を吊り下ろす（図６Ａ）。この際、コンテナ構造部２０の支柱を、アンカーボルト１２上に位置合わせし、フレーム材２１とアンカーボルト１２をボルト連結して、コンテナ構造部２０を基礎部１０上に固定する。
同様に１階部分の全てのコンテナ構造部２０を基礎部１０上に固定する。
１階部分のコンテナ構造部２０の上に２階部分のコンテナ構造部２０を積載し、上下のコンテナ構造部２０をボルト連結する（図６Ｂ）。
コンテナ構造部２０の支持部材２３間に複数の横架材３１ａを掛け渡し（図６Ｃ）、横架材３１ａ上に構造面材３１ｂを配置して平面材３１を構築する（図４）。コンテナ構造部２０間の側面を、側面材３２で塞ぐ（図１）。
この際、コンテナ構造部２０の寸法や、複数のコンテナ構造部２０間の距離に製品誤差や施工誤差が生じた場合には、木製の横架材３１ａ、構造面材３１ｂ、又は側面材３２を適宜切削・加工等することで、誤差を現場で容易に調整することができる。
内装その他の工程は公知なので、ここでは詳述しない。
なお、上記は建築方法の一例にすぎず、各工程や接合手段等は適宜変更することができる。例えば、下方の支持部材２３を、１階部分のコンテナ構造部２０の上部に付設し、２階部分のコンテナ構造部２０を積載する前に、支持部材２３間に平面材３１を掛け渡して、２階部分の床を構築してもよい。
【符号の説明】
【００２５】
１  コンテナ建築物
１０  基礎部
１１  コンクリート基礎
１２  アンカーボルト
２０  コンテナ構造部
２１  フレーム材
２２  パネル材
２３  支持部材
２３ａ  垂直部
２３ｂ  水平部
２３ｃ  接合板
３０  中央構造部
３１  平面材
３１ａ  横架材
３１ｂ  構造面材
３１ｃ  接合スリット
３２  側面材
３３  ドリフトピン
【要約】
【課題】鋼構造と木構造の混構造により、コンテナ建築によるコスト、施工性、及び工期のメリットを享受しつつ、同時に設計の自由度も確保できるコンテナ建築物を提供すること。
【解決手段】本発明のコンテナ建築物１は、基礎部１０と、側壁の少なくとも一面を除去したコンテナからなるコンテナ構造部２０であって、基礎部１０上に配置した、複数のコンテナ構造部２０と、複数のコンテナ構造部２０の間に構築した中央構造部３０であって、平面材３１及び側面材３２を有する、中央構造部３０と、を備え、平面材３１が、複数のコンテナ構造部２０の間に掛け渡した木製の複数の横架材３１ａと、複数の横架材上３１ａに配置した構造面材３１ｂを含んで構成され、複数のコンテナ構造部２０、平面材３１、及び側面材３２によって、屋内空間を画設したことを特徴とする。
【選択図】図１【図１】
0006917602.tif 000002
【図２】
0006917602.tif 000003
【図３】
0006917602.tif 000004
【図４】
0006917602.tif 000005
【図５】
0006917602.tif 000006
【図６Ａ】
0006917602.tif 000007
【図６Ｂ】
0006917602.tif 000008
【図６Ｃ】
0006917602.tif 000009